(57)【要約】【課題】データ更新時にユーザの負担が低減されうる通信機器を提供する。【解決手段】通信機器は、デジタルデータ入力部と、テキストデータであり、所定の記録媒体に記録された文字に基づく第１データを格納する記憶部と、第１データを表示する表示部と、制御部とを備え、制御部は、デジタルデータ入力部によってテキストデータである第２データが入力された場合は、記憶部に格納された第１データと第２データとを合わせたデジタル最新データを表示部に表示するとともに、所定の印刷機器と通信可能なサーバに第２データを送信し、所定の印刷機器は、第２データを所定の記録媒体に印刷する。【選択図】図１
2018205804.tif 000002
【特許請求の範囲】
【請求項１】
デジタルデータ入力部と、
テキストデータであり、所定の記録媒体に記録された文字に基づく第１データを格納する記憶部と、
当該第１データを表示する表示部と、
制御部と、を備え、
前記制御部は、
前記デジタルデータ入力部によってテキストデータである第２データが入力された場合、前記記憶部に格納された前記第１データと当該第２データを合わせたデジタル最新データを前記表示部に表示するとともに、所定の印刷機器と通信可能なサーバに当該第２データを送信し、
前記所定の印刷機器は、当該第２データを前記所定の記録媒体に印刷する、
通信機器。
【請求項２】
手書きデータ入力部を備え、
前記制御部は、
前記手書きデータ入力部によって前記所定の記録媒体に記録された文字に基づく第３データが入力された場合は、前記第１データと当該第３データとの差分データをさらに前記表示部に表示することで、前記第１データと当該差分データとを合わせた手書き最新データを前記表示部に表示する、
請求項１に記載の通信機器。
【請求項３】
前記第１データ、前記第２データ、及び前記第３データは、所定の情報に関連付けられ、
前記制御部は、
前記第２データが入力され、前記デジタル最新データが前記表示部に表示されている場合に、前記第３データが入力されると、前記第２データに関連付けられた情報と前記第３データに関連付けられた情報とが一致するかを判定し、
前記第２データに関連付けられた情報と前記第３データに関連付けられた情報とが一致したと判定すると、前記デジタル最新データと前記手書き最新データとの少なくとも一方を選択させる選択画面を前記表示部に表示する、
請求項２に記載の通信機器。
【請求項４】
前記第１データ、前記第２データ、及び前記第３データは、所定の情報に関連付けられ、
前記制御部は、
前記第３データが入力され、前記手書き最新データが前記表示部に表示されている場合に、前記第２データが入力されると、前記第２データに関連付けられた情報と前記第３データに関連付けられた情報とが一致するかを判定し、
前記第２データに関連付けられた情報と前記第３データに関連付けられた情報とが一致している場合に、前記第３データの元となる前記所定の記録媒体に記録された文字の表示の取り消しを指示するデータを前記第２データとともに前記印刷機器に送信する、
請求項２に記載の通信機器。
【請求項５】
前記所定の情報は、時間情報である、
請求項３または４に記載の通信機器。
【請求項６】
前記表示部に表示される前記データは所定のアプリケーション上で表示され、当該アプリケーションと前記所定の記録媒体とは互いに対応するレイアウトを有し、
前記所定の情報は、前記レイアウト内における位置情報である、
請求項３または４に記載の通信機器。
【請求項７】
前記所定のアプリケーションは、カレンダーアプリケーションである、
請求項６に記載の通信機器。
【請求項８】
前記手書きデータ入力部は、カメラであり、
当該カメラが、前記所定の記録媒体に記録された文字または図形を撮影することで前記第３データを入力する、
請求項２から７のいずれか一項に記載の通信機器。
【請求項９】
前記手書きデータ入力部は通信部であり、
当該通信部が、前記所定の記録媒体に記録された文字または図形を読み取る外部通信機器から前記第３データを取得することで当該第３データを入力する、
請求項２から７のいずれか一項に記載の通信機器。
【請求項１０】
前記手書きデータ入力部は通信部であり、
当該通信部が、前記所定の記録媒体に記録された文字または図形を読み取る前記印刷機器から前記第３データを取得することで当該第３データを入力する、
請求項２から７のいずれか一項に記載の通信機器。
【請求項１１】
前記制御部は、
前記第２データに含まれる他のユーザと共有されるデータは送信しない、
請求項１から１０のいずれか一項に記載の通信機器。
【請求項１２】
前記第３データの少なくとも一部は、手書きされた文字に基づく画像データであり、
前記制御部は、
前記第３データを手書きテキストデータに変換し、
前記第１データと前記手書きテキストデータとを比較し、前記差分データを生成する、
請求項２から１０のいずれか一項に記載の通信機器。
【請求項１３】
前記第３データの少なくとも一部は、手書きされた文字に基づくテキストデータであり、
前記制御部は、前記第１データと前記第３データとを比較し、前記差分データを生成する、
請求項１０に記載の通信機器。
【請求項１４】
前記第３データは、手書きされた図形に基づく手書き図形データを含み、
前記制御部は、
前記手書き図形データをテキストデータに変換せず、前記手書き図形データを差分データとして認識する、
請求項１２または１３に記載の通信機器。
【請求項１５】
デジタルデータ入力部と、テキストデータであり、所定の記録媒体に記録された文字に基づく第１データを格納する記憶部と、当該第１データを表示する表示部と、制御部と、を備える通信機器と、
印刷部と、前記通信機器と通信する印刷通信部とを備える印刷機器と、
を備えるデータ管理システムであって、
前記通信機器は、
前記制御部によって、前記デジタルデータ入力部がテキストデータである第２データを入力すると、前記記憶部に格納された前記第１データと当該第２データを合わせたデジタル最新データを前記表示部に表示するとともに当該第２データを前記印刷機器に送信し、
前記印刷機器は、
前記印刷通信部によって前記第２データを受信すると、前記印刷部によって、前記所定の記録媒体に受信した前記第２データを印刷することで、前記第１データと前記第２データとを合わせたデジタル最新データを前記所定の記録媒体に記録する、
データ管理システム。
【請求項１６】
前記印刷機器は、手書きデータ入力部と、前記第１データを格納する記憶部と、をさらに備え、
前記手書きデータ入力部が前記所定の記録媒体に記録された文字に基づく第３データを読み取ると、前記記憶部に格納される前記第１データと当該第３データとの差分データを前記通信機器に送信する、
請求項１５に記載のデータ管理システム。
【請求項１７】
手書きデータ入力部と、制御部とを備え、前記通信機器である第１通信機器と通信を行う第２通信機器をさらに備え、
前記第２通信機器は、
前記手書きデータ入力部が前記所定の記録媒体に記録された文字に基づく第３データを読み取ると、当該第３データを前記印刷機器に送信し、
前記第１データを格納する記憶部を備える前記印刷機器は、
前記第３データを受信すると、前記記憶部に格納される前記第１データと当該第３データとの差分データを前記第１通信機器に送信する、
請求項１５に記載のデータ管理システム。
【請求項１８】
テキストデータであり、所定の記録媒体に記録された文字に基づく第１データを記憶部に格納するステップと、
当該第１データを表示部に表示するステップと、
テキストデータである第２データの入力を受け付けるステップと、
前記第２データが入力された場合、前記記憶部に格納された前記第１データと当該第２データを合わせたデジタル最新データを前記表示部に表示するとともに、当該第２データを前記所定の記録媒体に印刷する所定の印刷機器と通信可能なサーバに当該第２データを送信するステップと
を含む通信機器の制御方法。
【請求項１９】
通信機器に、
テキストデータであり、所定の記録媒体に記録された文字に基づく第１データを記憶部に格納するステップと、
当該第１データを表示部に表示するステップと、
テキストデータである第２データの入力を受け付けるステップと、
前記第２データが入力された場合、前記記憶部に格納された前記第１データと当該第２データを合わせたデジタル最新データを前記表示部に表示するとともに、当該第２データを前記所定の記録媒体に印刷する所定の印刷機器と通信可能なサーバに当該第２データを送信するステップと
を実行させる、通信機器の制御プログラム。
【請求項２０】
印刷部と、印刷通信部とを備え、
前記印刷通信部は、テキストデータであり、所定の記録媒体に記録された文字に基づく第１データを格納する通信機器であって、テキストデータである第２データの入力を受け付けた通信機器から前記第２データを取得し、
前記印刷部は、前記印刷通信部が前記第２データを取得すると、前記所定の記録媒体に前記第２データを印刷し、前記第１データと前記第２データとを合わせたデジタル最新データを前記所定の記録媒体に記録する
印刷機器。
【請求項２１】
印刷制御部と、手書きデータ入力部とをさらに備え、
前記印刷制御部は、
前記手書きデータ入力部によって前記所定の記録媒体に記録された文字に基づく第３データが入力された場合は、前記第１データと当該第３データとの差分データを前記通信機器に送信し、前記第１データと当該差分データとを合わせた手書き最新データを前記通信機器に表示させる、
請求項２０に記載の印刷機器。
【請求項２２】
前記第１データ、前記第２データ、及び前記第３データは、所定の情報に関連付けられ、
前記印刷制御部は、
前記第２データが前記通信機器に入力され、前記デジタル最新データが前記通信機器に表示されている場合に、前記手書きデータ入力部によって前記第３データが入力されると、前記第２データに関連付けられた情報と前記第３データに関連付けられた情報とが一致するかを判定し、
前記第２データに関連付けられた情報と前記第３データに関連付けられた情報とが一致したと判定すると、前記デジタル最新データと前記手書き最新データとの少なくとも一方を選択させる選択画面を表示する、
請求項２１に記載の印刷機器。
【請求項２３】
前記第１データ、前記第２データ、及び前記第３データは、所定の情報に関連付けられ、
前記印刷制御部は、
前記第３データが入力され、前記手書き最新データが前記通信機器に表示されている場合に、前記通信機器に入力された前記第２データを取得すると、前記第２データに関連付けられた情報と前記第３データに関連付けられた情報とが一致するかを判定し、
前記第２データに関連付けられた情報と前記第３データに関連付けられた情報とが一致している場合に、前記第３データの元となる前記所定の記録媒体に記録された文字の表示を取り消すデータを前記所定の記録媒体に記録する、
請求項２１に記載の印刷機器。
【発明の詳細な説明】
【技術分野】
【０００１】
本開示は、通信機器、データ管理システム、通信機器の制御方法、通信機器の制御プログラム、及び印刷機器に関する。
【背景技術】
【０００２】
機器に格納されたデータは、ユーザによって更新されうる。データは、ユーザの指示に応じて媒体に印刷されうる。データが印刷された後に当該データが更新される場合、更新前データと更新後データとの差分データが生成されうる。ユーザが差分データを確認した上で、更新前データが印刷された媒体に差分データを上書き印刷する構成が知られている（例えば、特許文献１参照）。
【先行技術文献】
【特許文献】
【０００３】
【特許文献１】特開２００７−１６８３８２号公報
【発明の概要】
【発明が解決しようとする課題】
【０００４】
多くのデータが更新される場合、ユーザによる差分データの確認が難しくなりうる。
【０００５】
本開示は、データ更新時にユーザの負担が低減されうる通信機器、データ管理システム、通信機器の制御方法、通信機器の制御プログラム、及び印刷機器を提供することを目的とする。
【課題を解決するための手段】
【０００６】
本開示の一実施形態に係る通信機器は、デジタルデータ入力部と、記憶部と、表示部と、制御部とを備える。前記記憶部は、テキストデータであり、所定の記録媒体に記録された文字に基づく第１データを格納する。前記表示部は、当該第１データを表示する。前記制御部は、前記デジタルデータ入力部によってテキストデータである第２データが入力された場合、前記記憶部に格納された前記第１データと当該第２データを合わせたデジタル最新データを前記表示部に表示する。前記制御部は、所定の印刷機器と通信可能なサーバに当該第２データを送信する。前記所定の印刷機器は、当該第２データを前記所定の記録媒体に印刷する。
【０００７】
本開示の一実施形態に係るデータ管理システムは、通信機器と、印刷機器とを備える。前記通信機器は、デジタルデータ入力部と、記憶部と、表示部と、制御部とを備える。前記記憶部は、テキストデータであり、所定の記録媒体に記録された文字に基づく第１データを格納する。前記表示部は、当該第１データを表示する。前記印刷機器は、印刷部と、前記通信機器と通信する印刷通信部とを備える。前記通信機器は、前記制御部によって、前記デジタルデータ入力部がテキストデータである第２データを入力すると、前記記憶部に格納された前記第１データと当該第２データを合わせたデジタル最新データを前記表示部に表示する。前記通信機器は、前記制御部によって、当該第２データを前記印刷機器に送信する。前記印刷機器は、前記印刷通信部によって前記第２データを受信すると、前記印刷部によって、前記所定の記録媒体に受信した前記第２データを印刷することで、前記第１データと前記第２データとを合わせたデジタル最新データを前記所定の記録媒体に記録する。
【０００８】
本開示の一実施形態に係る通信機器の制御方法は、テキストデータであり、所定の記録媒体に記録された文字に基づく第１データを記憶部に格納するステップを含む。前記制御方法は、当該第１データを表示部に表示するステップを含む。前記制御方法は、テキストデータである第２データの入力を受け付けるステップを含む。前記制御方法は、前記第２データが入力された場合、前記記憶部に格納された前記第１データと当該第２データを合わせたデジタル最新データを前記表示部に表示するステップを含む。前記制御方法は、当該第２データを前記所定の記録媒体に印刷する所定の印刷機器と通信可能なサーバに当該第２データを送信するステップを含む。
【０００９】
本開示の一実施形態に係る通信機器の制御プログラムは、通信機器に、テキストデータであり、所定の記録媒体に記録された文字に基づく第１データを記憶部に格納するステップを実行させる。前記制御プログラムは、通信機器に、当該第１データを表示部に表示するステップを実行させる。前記制御プログラムは、通信機器に、テキストデータである第２データの入力を受け付けるステップを実行させる。前記制御プログラムは、通信機器に、前記第２データが入力された場合、前記記憶部に格納された前記第１データと当該第２データを合わせたデジタル最新データを前記表示部に表示するステップを実行させる。前記制御プログラムは、通信機器に、当該第２データを前記所定の記録媒体に印刷する所定の印刷機器と通信可能なサーバに当該第２データを送信するステップを実行させる。
【００１０】
本開示の一実施形態に係る印刷機器は、印刷部と、印刷通信部とを備える。前記印刷通信部は、テキストデータであり、所定の記録媒体に記録された文字に基づく第１データを格納する通信機器であって、テキストデータである第２データの入力を受け付けた通信機器から前記第２データを取得する。前記印刷部は、前記印刷通信部が前記第２データを取得すると、前記所定の記録媒体に前記第２データを印刷する。前記印刷部は、前記第１データと前記第２データとを合わせたデジタル最新データを前記所定の記録媒体に記録する。
【発明の効果】
【００１１】
本開示の一実施形態に係る通信機器、データ管理システム、通信機器の制御方法、通信機器の制御プログラム、及び印刷機器によれば、データ更新時にユーザの負担が低減されうる。
【図面の簡単な説明】
【００１２】
【図１】一実施形態に係るデータ管理システムの構成例を示すブロック図である。
【図２】通信機器の構成例を示すブロック図である。
【図３】印刷機器の構成例を示すブロック図である。
【図４】第１通信機器と第２通信機器とを備える構成の一例を示すブロック図である。
【図５】１カ月を表示単位とするカレンダー形式のレイアウトの一例を示す図である。
【図６】１日を表示単位とするレイアウトの一例を示す図である。
【図７】１週間を表示単位とするカレンダー形式のレイアウトの一例を示す図である。
【図８】１週間を表示単位とするカレンダー形式のレイアウトの一例を示す図である。
【図９】図５に取り消し線と取り消し記号と追加データとが記録された記録媒体の例を示す図である。
【図１０】第２データを取得した後に第３データを取得した場合に制御部が実行する手順を示すフローチャートである。
【図１１】第３データを取得した後に第２データを取得した場合に制御部が実行する手順を示すフローチャートである。
【図１２】複数の通信機器とサーバとが通信可能に接続された構成の一例を示すブロック図である。
【発明を実施するための形態】
【００１３】
図１に示されるように、一実施形態に係るデータ管理システム１は、通信機器１０と、印刷機器２０とを備える。通信機器１０及び印刷機器２０は、通信可能に接続される。通信機器１０及び印刷機器２０は、ネットワーク４０を介してデータを送受信してよい。通信機器１０及び印刷機器２０は、ネットワーク４０に接続されるサーバ３０を介してデータを送受信してよい。ネットワーク４０は、例えばインターネット等の通信ネットワークであってよい。
【００１４】
通信機器１０は、制御部１１と、記憶部１２と、表示部１３と、通信部１４と、デジタルデータ入力部１５とを備える。
【００１５】
制御部１１は、通信機器１０の各構成部を制御する。制御部１１は、例えばプロセッサとして構成される。制御部１１は、１以上のプロセッサを含んでよい。プロセッサは、特定のプログラムを読み込ませて特定の機能を実行する汎用のプロセッサ、及び特定の処理に特化した専用のプロセッサを含んでよい。専用のプロセッサは、特定用途向けＩＣ（Integrated Circuit）を含んでよい。特定用途向けＩＣは、ＡＳＩＣ（Application Specific Integrated Circuit）ともいう。プロセッサは、プログラマブルロジックデバイスを含んでよい。プログラマブルロジックデバイスは、ＰＬＤ（Programmable Logic Device）ともいう。ＰＬＤは、ＦＰＧＡ（Field-Programmable Gate Array）を含んでよい。制御部１１は、１つ又は複数のプロセッサが協働するＳｏＣ（System-on-a-Chip）、及びＳｉＰ（System In a Package）のいずれかであってよい。
【００１６】
記憶部１２は、制御部１１で取得したデータを格納する。制御部１１は、記憶部１２に格納したデータを取得しうる。記憶部１２は、各種情報、又は通信機器１０の各構成部を動作させるためのプログラム等を格納してよい。記憶部１２は、例えば半導体メモリ等で構成されてよい。記憶部１２は、制御部１１のワークメモリとして機能してよい。記憶部１２は、制御部１１と一体に構成されてよい。
【００１７】
表示部１３は、データ又は各種情報等を表示する。表示部１３は、通信機器１０で実行される所定のアプリケーションの画面を表示してよい。表示部１３は、例えば、ＬＣＤ（Liquid Crystal Display）等の液晶デバイスであってよい。表示部１３は、有機ＥＬ（Electro-Luminescence）又は無機ＥＬ等の自発光デバイスであってよい。
【００１８】
通信部１４は、印刷機器２０との間で、有線又は無線によって通信する。通信部１４は、ネットワーク４０に有線又は無線で通信可能に接続されてよい。通信部１４は、ネットワーク４０を介して印刷機器２０と通信してよい。通信部１４は、印刷機器２０に限られず、サーバ３０等の外部機器と通信してよい。サーバ３０等の外部機器は、ネットワーク４０を介して通信部１４と通信してよい。通信部１４は、ネットワーク４０、又は、印刷機器２０若しくはサーバ３０と、セルラ通信又はＬＡＮ（Local Area Network）によって通信してよい。通信部１４は、ネットワーク４０、又は、印刷機器２０若しくはサーバ３０と、Ｂｌｕｅｔｏｏｔｈ（登録商標）、又はＩＥＥＥ８０２．１１を含む通信規格に準拠して通信してよい。
【００１９】
デジタルデータ入力部１５は、ユーザからの入力を受け付け、入力に基づいてテキストデータ等のデジタルデータを生成する。デジタルデータ入力部１５は、例えばキーボード等の物理キーを含んでよい。デジタルデータ入力部１５は、タッチパネルを含んでよい。タッチパネルは、表示部１３に重畳し、表示部１３に表示されるソフトキーに対応する位置へのタッチ又はスライド等を入力として検出してよい。
【００２０】
印刷機器２０は、印刷制御部２１と、印刷記憶部２２と、印刷部２３と、印刷通信部２４とを備える。
【００２１】
印刷制御部２１は、印刷機器２０の各構成部を制御する。印刷制御部２１は、印刷部２３に印刷内容を指示するデータを出力し、記録媒体に印刷させる。印刷部２３に印刷内容を指示するデータは、印刷データともいう。印刷制御部２１は、印刷通信部２４を介して通信機器１０から取得した情報に基づいて、印刷データを生成してよい。印刷制御部２１は、例えばプロセッサとして構成されてよい。印刷制御部２１は、通信機器１０の制御部１１と同様に、又は、類似に構成されてよい。
【００２２】
印刷記憶部２２は、印刷制御部２１で取得したデータを格納する。印刷制御部２１は、印刷記憶部２２に格納したデータを取得しうる。印刷記憶部２２は、各種情報、又は印刷機器２０の各構成部を動作させるためのプログラム等を格納してよい。印刷記憶部２２は、通信機器１０の記憶部１２と同様に、又は、類似に構成されてよい。
【００２３】
印刷通信部２４は、通信機器１０との間で、有線又は無線によって通信し、通信機器１０から種々の情報を取得する。印刷通信部２４は、通信機器１０の通信部１４と同様に、又は、類似に構成されてよい。印刷通信部２４は、ネットワーク４０、又は、通信機器１０若しくはサーバ３０と、有線又は無線で通信してよい。
【００２４】
印刷部２３は、印刷制御部２１から取得した印刷データに基づいて、記録媒体に印刷する。印刷部２３は、インクジェットプリンタ若しくはレーザプリンタ、又は他の種々の方式のプリンタヘッドとして構成されてよい。
【００２５】
サーバ３０は、通信機器１０及び印刷機器２０のそれぞれと通信可能に接続され、通信機器１０と印刷機器２０との間のデータの送受信を中継してよい。サーバ３０は、通信機器１０及び印刷機器２０のそれぞれと、ネットワーク４０を介して接続されてよい。
【００２６】
データ管理システム１は、テキストデータを管理する。通信機器１０は、記憶部１２にテキストデータである第１データを格納する。印刷機器２０は、所定の記録媒体に第１データに基づく文字を印刷する。言い換えれば、テキストデータである第１データは、記憶部１２に格納されるとともに、所定の記録媒体に文字として記録される。第１データが文字として記録された記録媒体は、第１記録媒体ともいう。通信機器１０は、記憶部１２に格納された第１データを表示部１３に表示する。
【００２７】
デジタルデータ入力部１５は、ユーザの入力に基づいて、テキストデータである第２データを生成する。言い換えれば、デジタルデータ入力部１５によって、第２データが入力される。
【００２８】
制御部１１は、デジタルデータ入力部１５によって第２データが入力された場合、記憶部１２に格納された第１データと、第２データとを合わせたデジタル最新データを生成する。制御部１１は、第２データを記憶部１２に格納してよい。制御部１１は、デジタル最新データを記憶部１２に格納してよい。
【００２９】
制御部１１は、デジタル最新データを表示部１３に表示させる。制御部１１は、第２データを、印刷機器２０、又は、印刷機器２０と通信可能に接続されるサーバ３０に向けて、通信部１４に送信させる。印刷制御部２１は、印刷通信部２４を介して第２データを取得する。印刷制御部２１は、第２データに対応する印刷データを生成し、印刷部２３に印刷データを出力する。印刷部２３は、印刷データに基づいて、第１記録媒体に文字を記録する。つまり、印刷部２３は、第１記録媒体に重畳して、第２データに対応する文字を記録する。第１記録媒体に重畳して、第２データに対応する文字が記録された記録媒体は、第２記録媒体ともいう。言い換えれば、印刷機器２０は、第１記録媒体に重畳して記録することによって、第１記録媒体を第２記録媒体に更新する。印刷機器２０が第１記録媒体を第２記録媒体に更新するタイミングは、ユーザによる操作に基づいて決定されてよいし、印刷制御部２１によって自動的に決定されてよい。印刷機器２０が第１記録媒体を第２記録媒体に更新するタイミングは、更新タイミングともいう。
【００３０】
第２データが入力された後、第１記録媒体に対して第２データに対応する文字が記録されるまでの間、デジタル最新データとして表示部１３に表示される内容は、第１記録媒体に記録される内容と異なる。第２データが入力された後、第１記録媒体が第２記録媒体に更新されるまでの期間は、待機期間ともいう。待機期間内において、第２データは、削除若しくは追加、又は変更によって、さらに更新されうる。印刷制御部２１は、更新タイミングにおいて、そのときの最新の状態に更新されている第２データに対応する印刷データを生成する。印刷部２３は、その印刷データに基づいて、第１記録媒体に文字を記録する。つまり、印刷機器２０は、待機期間内に入力された第２データに対応する文字を記録する。
【００３１】
デジタルデータ入力部１５は、第２データを生成する際、その第２データが第１記録媒体に重畳して記録されてよいかを示す情報を関連付けてよい。第２データが第１記録媒体に重畳して記録されてよいかを示す情報は、記録許可情報ともいう。デジタルデータ入力部１５は、ユーザによってデジタルデータが入力される際に、入力した情報が第１記録媒体に重畳して記録されてよいか選択させてよい。印刷制御部２１は、第２データに基づいて印刷データを生成する際、第２データに関連付けられた記録許可情報に基づいて、印刷データの内容を決定してよい。印刷制御部２１は、記録されてはいけないことを示す情報に関連付けられる第２データに対応するデータを含まないように、印刷データを生成してよい。デジタルデータの入力のタイミングでデータに記録許可情報を関連付けることによって、更新タイミングにおいて、ユーザは、データを記録してよいか選択しなくてよくなる。つまり、第１記録媒体を第２記録媒体に更新する作業は、簡略化され、ユーザによって高い頻度で実行されやすくなる。結果として、デジタル最新データと記録媒体に記録された内容とが整合されやすくなる。
【００３２】
本実施形態に係るデータ管理システム１によれば、デジタル最新データが表示部１３に表示されることによって、記録媒体に記録されていないデータが一覧で確認されうる。第２データが印刷機器２０に送信されることによって、待機期間内に入力されたデータが所定の記録媒体に記録されうる。結果として、通信機器１０に表示される内容と、記録媒体に記録される内容とは、容易に整合されうる。
【００３３】
図２に示されるように、通信機器１０は、手書きデータ入力部１６をさらに備えてよい。ユーザは、第１記録媒体に対して、手書きで文字若しくは記号、又は図形等を記録しうる。第１記録媒体に対してユーザの手書きで文字若しくは記号、又は図形等が記録された記録媒体は、第３記録媒体ともいう。手書きデータ入力部１６は、第３記録媒体に記録された、ユーザの手書きで記録された文字若しくは記号、又は図形等を含む内容を、第３データとして抽出し、通信機器１０に入力する。
【００３４】
手書きデータ入力部１６は、カメラ等の撮像装置、又は、スキャナ等の読取装置を含んでよい。手書きデータ入力部１６は、撮像装置によって第３記録媒体を撮像又は撮影し、第３記録媒体に記録された内容を撮像画像として取得してよい。手書きデータ入力部１６は、読取装置によって第３記録媒体に記録された内容を読取画像として取得してよい。撮像画像及び読取画像は、画像データと総称されるものとする。
【００３５】
手書きデータ入力部１６は、画像データに含まれる、ユーザの手書きで記録された文字若しくは記号、又は図形等から、テキストデータを認識し、第３データとしてテキストデータを生成してよい。言い換えれば、手書きデータ入力部１６は、画像データから、テキストデータである第３データを抽出してよい。テキストデータは、ＯＣＲ（Optical Character Recognition）等の種々の処理によって認識されてよい。手書きデータ入力部１６は、テキストデータである第３データを制御部１１に出力してよい。
【００３６】
制御部１１は、手書きデータ入力部１６から取得した第３データを記憶部１２に格納してよい。制御部１１は、第３データがテキストデータである場合、第１データと、第３データとを比較し、差分データを生成してよい。
【００３７】
手書きデータ入力部１６は、画像データを第３データとして制御部１１に出力してよい。この場合、制御部１１は、取得した画像データをテキストデータに変換し、手書きテキストデータを生成してよい。制御部１１は、第１データと、手書きテキストデータとを比較し、差分データを生成してよい。
【００３８】
制御部１１は、画像データをテキストデータに変換する場合、変換のためのプログラムを記憶部１２に格納してよい。制御部１１は、変換のためのプログラムを容易に更新しうる。プログラムが容易に更新されうることによって、変換精度が向上されうる。
【００３９】
制御部１１は、差分データを、第１データと合わせて表示部１３に表示させてよい。第１データと第３データとを合わせたデータは、手書き最新データともいう。言い換えれば、制御部１１は、表示部１３に手書き最新データを表示させうる。
【００４０】
図３に示されるように、手書きデータ入力部１６は、印刷機器２０に設けられてよい。上述のように、手書きデータ入力部１６は、スキャナ等の読取装置であってよい。印刷制御部２１は、手書きデータ入力部１６によって、第３記録媒体に記録された内容を読取画像として取得してよい。印刷制御部２１は、読取画像からテキストデータである第３データを抽出してよい。印刷制御部２１は、手書きデータ入力部１６によって抽出された第３データを、印刷通信部２４を介して通信機器１０に送信してよい。言い換えれば、通信機器１０の制御部１１は、手書きされた文字に基づくテキストデータを取得してよい。
【００４１】
印刷制御部２１は、通信機器１０から第１データを取得し、印刷記憶部２２に格納してよい。印刷制御部２１は、第１データと第３データとを比較し、差分データを生成してよい。印刷制御部２１は、差分データを、印刷通信部２４を介して通信機器１０に送信してよい。
【００４２】
印刷機器２０が差分データを生成することによって、通信機器１０の動作負荷が低減されうるとともに、通信機器１０が簡易に構成されうる。
【００４３】
印刷制御部２１は、読取画像を第３データとして通信機器１０に送信してよい。この場合、通信機器１０の制御部１１は、読取画像をテキストデータに変換し、手書きテキストデータを生成してよい。
【００４４】
図４に示されるように、手書きデータ入力部１６は、通信機器１０と通信可能に接続される外部通信機器１０Ａに設けられてよい。通信機器１０及び外部通信機器１０Ａはそれぞれ、第１通信機器及び第２通信機器ともいう。外部通信機器１０Ａは、制御部１１Ａと、記憶部１２Ａと、表示部１３Ａと、通信部１４Ａと、手書きデータ入力部１６Ａとを備える。制御部１１Ａ、記憶部１２Ａ、表示部１３Ａ、及び通信部１４Ａはそれぞれ、通信機器１０の制御部１１、記憶部１２、表示部１３、及び通信部１４と同様に、又は、類似に構成されてよい。手書きデータ入力部１６Ａは、手書きデータ入力部１６と同様に、又は、類似に構成されてよい。
【００４５】
手書きデータ入力部１６Ａは、第３記録媒体に記録された内容を画像データとして取得してよい。手書きデータ入力部１６Ａは、画像データから、テキストデータである第３データを抽出してよい。通信部１４Ａは、テキストデータである第３データを通信機器１０に送信してよい。通信部１４Ａは、画像データを第３データとして通信機器１０に送信してよい。この場合、通信機器１０の制御部１１は、画像データをテキストデータに変換し、手書きテキストデータを生成してよい。
【００４６】
手書きデータ入力部１６Ａは、記録媒体に対してユーザが手書きで記録する際に、手書きの筆跡データを検出することによって、差分データを取得してよい。
【００４７】
手書きデータ入力部１６Ａは、超音波と赤外線とを同時に射出可能なペン先を有するペンと、ペン先から射出された超音波と赤外線とを受信可能なレシーバとを備えてよい。この場合、手書きデータ入力部１６Ａは、超音波を受信するタイミングと赤外線を受信するタイミングとの差に基づいて、ペン先の動きを検出しうる。手書きデータ入力部１６Ａは、ペン先の動きに基づいて、手書きの筆跡データを検出しうる。
【００４８】
手書きデータ入力部１６Ａは、カメラを有するペンを備えてよい。このペンは、記録媒体に予め記録されているパターンをカメラで読み取り、読み取ったパターンに基づいて、記録媒体上におけるペン先の座標を特定しうる。記録媒体に予め記録されているパターンは、記録媒体上の位置に応じてドットの間隔又は大きさ等が変化するように構成されてよい。手書きデータ入力部１６Ａは、ペン先の座標の変化に基づいて、手書きの筆跡データを検出しうる。
【００４９】
外部通信機器１０Ａは、通信機器１０から第１データを取得し、記憶部１２Ａに格納してよい。制御部１１Ａは、第１データと第３データとを比較し、差分データを生成してよい。制御部１１Ａは、差分データを、通信部１４Ａを介して通信機器１０に送信してよい。
【００５０】
外部通信機器１０Ａは、印刷機器２０と通信可能に接続されてよい。外部通信機器１０Ａは、手書きデータ入力部１６Ａが取得した第３データを印刷機器２０に送信してよい。印刷機器２０は、印刷記憶部２２に格納される第１データと、外部通信機器１０Ａから取得した第３データとを比較し、差分データを生成してよい。印刷機器２０は、差分データを、印刷通信部２４を介して通信機器１０に送信してよい。
【００５１】
外部通信機器１０Ａが差分データを生成することによって、通信機器１０の動作負荷が低減されうるとともに、通信機器１０が簡易に構成されうる。
【００５２】
通信機器１０は、印刷機器２０又は外部通信機器１０Ａから、通信部１４を介して、第３データを取得してよい。言い換えれば、通信部１４は、第３記録媒体に記録された内容を第３データに変換するという手書きデータ入力部１６の機能を含みうる。この場合、手書きデータ入力部１６は、通信部１４であるともいえるし、通信部１４に含まれるともいえる。
【００５３】
第３記録媒体に記録された内容の少なくとも一部は、手書きされた文字に基づく内容であってよい。制御部１１は、手書きデータ入力部１６から、第３記録媒体に記録された内容に基づく画像データを第３データとして取得してよい。言い換えれば、第３データの少なくとも一部は、手書きされた文字に基づく画像データであってよい。この場合、制御部１１は、画像データである第３データをテキストデータに変換し、手書きテキストデータを生成してよい。制御部１１は、第１データと手書きテキストデータとを比較し、差分データを生成してよい。
【００５４】
差分データが生成される際、第１データと第３データとの間に、又は第１データと手書きテキストデータとの間に一致するデータはなくてよい。言い換えると、第３データ又は手書きテキストデータが差分データそのものであってよい。
【００５５】
画像データである第３データは、手書きされた図形に基づく画像データを含みうる。手書きされた図形に基づく画像データは、手書き図形データともいう。制御部１１は、手書き図形データをテキストデータに変換せず、手書き図形データを差分データとして認識してよい。
【００５６】
図形データがテキストデータに変換されないことによって、文字を表していない図形が強制的に意図しない文字に変換されないように構成されうる。結果として、変換精度が向上されうる。
【００５７】
本実施形態に係るデータ管理システム１によれば、ユーザによって記録媒体に手書きされた文字に基づいて、通信機器１０に表示されるデータが更新される。このようにすることで、ユーザがスケジュール帳等への手書きによってデータを追加又は変更するだけで、更新されたデータが通信機器１０に表示される内容に反映される。結果として、更新されたデータは、様々な場所でユーザによって確認されうる。
【００５８】
記録媒体に対して手書きの内容が種々の方法で第３データとして読み取られうることによって、手書きで更新されたデータが容易にデジタル化されうる。結果として、手書きで更新されたデータがデジタル化される頻度が向上されうる。
【００５９】
制御部１１は、第１データ、並びに、デジタル最新データ及び手書き最新データを表示部１３に表示させうる。表示部１３に表示される、第１データ、並びに、デジタル最新データ及び手書き最新データは、表示データと総称されるものとする。
【００６０】
表示データは、通信機器１０で実行される所定のアプリケーションの中で表示されてよい。所定のアプリケーションは、例えば、ユーザのスケジュール又はタスク等を管理するためのカレンダーアプリケーション又はスケジュール管理アプリケーション等であってよい。所定のアプリケーションは、情報を記録するためのノートアプリケーション等であってよい。所定のアプリケーションは、他の種々の用途のアプリケーションであってよい。
【００６１】
所定のアプリケーションが例えばカレンダーアプリケーションである場合、入力データは、ユーザのスケジュールを示すテキストデータそのものであってよい。入力データは、ユーザのスケジュールを示すテキストデータに変換可能なデータであってよい。入力データは、スケジュールの開始日時又は終了日時を特定する時間情報に関連付けられてよい。
【００６２】
表示データは、所定のアプリケーションが有する所定の表示レイアウトで表示されてよい。所定の表示レイアウトは、表示データを表示するセルの配列を有してよい。セルには、表示データに限られず、他の種々のデータが表示されてよい。
【００６３】
所定のアプリケーションがカレンダーアプリケーションである場合、各セルは、日付又は時刻を示す情報に関連付けられてよい。日付又は時刻を示す情報は、時間情報ともいう。図５に例示されるように、各セルは、関連付けられた日付に基づいて、１カ月又は１週間等を表示単位とするカレンダー形式の配列で表示されてよい。図６に例示されるように、各セルは、関連付けられた時刻に基づいて、１日の時間経過を示す配列で表示されてよい。図７に例示されるように、各セルは、横方向の配列で一週間の各曜日を示し、縦方向の配列で各日の時間経過を示すように表示されてよい。
【００６４】
各セルが日付又は時刻を示す情報に関連付けられる場合であっても、各セルには、表示データとともに、時間情報に含まれる日付又は時刻が表示されてよい。
【００６５】
所定のアプリケーションがタスクを管理するアプリケーションである場合、各セルは、タスクの優先順位等を示す番号に関連付けられてよい。各セルは、関連付けられた番号に基づく配列で表示されてよい。
【００６６】
印刷機器２０は、第１データ、並びに、デジタル最新データ及び手書き最新データを記録媒体に文字として記録しうる。記録媒体に記録される、第１データ、並びに、デジタル最新データ及び手書き最新データは、記録データと総称されるものとする。
【００６７】
記録データは、印刷機器２０によって所定の記録媒体に文字として記録されうる。所定の記録媒体は、例えば、スケジュール帳等の、ユーザの予定等を管理するノート型又は通帳型等の冊子であってよい。印刷機器２０は、冊子のページをめくり、各ページに記録する構成を有してよい。所定の記録媒体は、リングバインダ等のバインダに綴じられたシート状の記録媒体であってよい。印刷機器２０は、バインダに綴じられたシートをめくり、各シートに記録する構成を有してよい。印刷機器２０は、バインダに綴じられたシートを１枚ずつ着脱し、各シートに対して記録する構成を有してよい。所定の記録媒体は、印刷機器２０で記録可能である種々の材料で構成されてよい。具体的には、所定の記録媒体は、紙で構成されてよいし、プラスチック等の樹脂で構成されてよい。
【００６８】
記録データは、所定の記録レイアウトで記録されてよい。所定の記録レイアウトは、記録データを文字として記録する記録枠の配列を有してよい。記録枠は、罫線で区切られてよい。記録枠の配列は、所定の表示レイアウトにおけるセルの配列と同様に、又は、類似に構成されてよい。所定の表示レイアウトと所定の記録レイアウトとは、所定のレイアウトと総称される。
【００６９】
カレンダーアプリケーションで取り扱われるデータが所定の記録媒体に記録される場合、所定の記録媒体における記録レイアウトは、カレンダーアプリケーションの表示レイアウトに対応してよい。例えば、表示レイアウトが図７に示される一週間の各曜日を示すセルが横に並ぶレイアウトである場合に、記録レイアウトは、図８に示されるように、各曜日を示すセルが縦に並ぶレイアウトであってよい。この場合、図７のレイアウトと図８のレイアウトとの間で、各曜日が互いに対応する。
【００７０】
図８において、時刻に関連付けられるセルは、設けられてよいし、設けられなくてよい。時刻に関連付けられるセルが設けられる場合、時刻に関連付けられるセルは、図７に示される時刻に対応しうる。時刻に関連付けられるセルが設けられない場合、各日のセルの内部において表示又は記録されるデータに付された時刻が、図７に示される時刻に対応しうる。
【００７１】
所定の表示レイアウトと、所定の記録レイアウトとは、互いに対応してよい。言い換えれば、所定のアプリケーションと所定の記録媒体とは、互いに対応するレイアウトを有してよい。所定の表示レイアウトと、所定の記録レイアウトとは、互いに一致するように構成されてもよい。
【００７２】
例えば、「５／２３（火）」に関連付けられるデータは、図５、図６及び図７のいずれにも表示されている。表示部１３内の所定の表示レイアウト、及び、記録媒体内の所定の記録レイアウトがそれぞれ、図５、図６及び図７のいずれか一つに示されるレイアウトであっても、「５／２３（火）」に関連付けられるデータは、各レイアウトで対応して表示されうる。
【００７３】
表示データ及び記録データはそれぞれ、表示部１３で表示される位置、及び、記録媒体に記録される位置を示す情報に関連付けられてよい。表示部１３で表示される位置、及び、記録媒体に記録される位置を示す情報は、位置情報ともいう。位置情報は、所定の表示レイアウトに含まれるセル、又は、所定の記録レイアウトに含まれる記録枠の位置を特定してよい。位置情報は、時間情報に関連付けられるセル又は記録枠を特定することによって、時間情報に関連付けられうる。
【００７４】
表示データ及び記録データは、所定の情報に関連付けられて、記憶部１２に格納されてよい。所定の情報は、時間情報又は位置情報を含んでよい。表示データ及び記録データは、所定の情報に関連付けられることによって、所定の表示レイアウトで表示部１３に表示され、又は、所定の記録レイアウトで記録媒体に記録されうる。言い換えれば、表示データ及び記録データは、時間情報及び位置情報の少なくとも一方に関連付けられてよい。
【００７５】
第２データは、所定の表示レイアウトに含まれるセルに入力されてよい。セルに時間情報が関連付けられている場合、そのセルに入力された第２データは、そのセルの時間情報に関連付けられてよい。第２データは、日付又は時刻を含むデータとして入力されてよい。例えば、デジタルデータ入力部１５に「５月２３日１０時会議Ｂ」と入力された場合、制御部１１は、「会議Ｂ」を第２データとして記憶部１２に格納し、その第２データに時間情報として「５月２３日１０時」を関連付けてよい。
【００７６】
デジタルデータ入力部１５から入力される第２データは、第１データに対して追加されるデータを含んでよい。第２データは、第１データの少なくとも一部を削除することを示すデータを含んでよい。第２データは、第１データの少なくとも一部を置換するデータを含んでよい。つまり、第２データは、第１データの少なくとも一部を削除した後に新たに追加されるデータを含んでよい。
【００７７】
通信機器１０は、第２データを取得した場合、第１データと第２データとをあわせたデジタル最新データを、表示部１３に表示してよい。通信機器１０は、第２データを印刷機器２０に出力してよい。印刷機器２０は、第２データを取得した場合、第１記録媒体に対して、記録された第１データに重畳するように、第２データに基づく文字等を記録してよい。
【００７８】
第２データが第１データの少なくとも一部を削除することを示すデータを含む場合、印刷機器２０は、第１記録媒体に対して、削除の対象となる部分の取り消しを示す取り消し線又は取り消し記号を記録してよい。取り消し線は、１本の線であってよいし、２本以上の線であってよい。取り消し記号は、例えばアスタリスク（＊）等の種々の記号であってよい。取り消し線又は取り消し記号は、例えば図９に示されるように、第１データのうち削除される部分に重畳するように、記録されてよい。５月１１日及び２３日の記録枠には、２本の取り消し線が記録されている。５月２２日の記録枠には、アスタリスクの取り消し記号が記録されている。
【００７９】
第２データが第１データに対して追加されるデータを含む場合、印刷機器２０は、第１記録媒体に対して、記録された第１データに追加するように、第２データを記録してよい。第２データが５月２２日の「会議Ａ」を「予定Ｄ」に置換することを示す場合、例えば図９に示されるように、５月２２日の記録枠において「会議Ａ」が取り消されている部分の下の空欄に、「予定Ｄ」が新たに記録される。
【００８０】
記録枠において取り消し線又は取り消し記号が記録された後、その記録枠内に空欄がない場合、新たに追加された記録データは、記録媒体の余白に記録されてよい。例えば図９に示されるように、５月２３日の記録枠において、「予定Ｂ」が取り消された後に空欄がない場合、記録媒体の余白に「会議Ｃ」が新たに記録される。記録媒体の余白に記録された内容は、星形の記号が付されることによって、５月２３日の記録枠に関連付けられることがわかる。記録媒体の余白に記録された内容は、種々の文字若しくは記号、又は図形等によって、記録枠に関連付けられうる。
【００８１】
第２データが第１データの少なくとも一部を削除することを示すデータを含む場合、表示部１３に表示される内容は、第１データのうち削除の対象となる部分が単に削除された内容である。一方で、第２記録媒体に記録された内容は、第１データのうち削除の対象となる部分に重畳する取り消し線又は取り消し記号を含む。つまり、表示部１３に表示される内容と、第２記録媒体に記録された内容との間で、見た目が異なりうる。第２記録媒体に記録された内容は、表示部１３に表示される内容と見た目が異なったとしても、デジタル最新データに対応する内容となりうる。
【００８２】
手書きデータ入力部１６は、第３記録媒体に記録された内容から第３データを抽出する。第３データは、抽出された位置を特定する位置情報に関連付けられてよい。第３データは、所定の記録レイアウトに含まれる記録枠から抽出されうる。この場合、第３データが抽出された記録枠に関連付けられる時間情報又は位置情報は、その第３データに関連付けられてよい。例えば、第３データが５月２４日を示す記録枠から抽出された場合、制御部１１は、第３データに対して、時間情報として「５月２４日」を関連付けてよい。第３データは、日付又は時刻を含むデータとして抽出されてよい。例えば、手書きデータ入力部１６が第３データとして「５月２４日１５時予定Ｅ」を抽出した場合、制御部１１は、「予定Ｅ」を第３データとして記憶部１２に格納し、その第３データに時間情報として「５月２４日１５時」を関連付けてよい。
【００８３】
表示データ及び記録データが所定の情報に関連付けられることによって、表示レイアウトと記録レイアウトとが容易に対応づけられうる。表示データ及び記録データが所定の情報に関連付けられることによって、手書きに基づく第３データが容易にデジタル化されうる。
【００８４】
制御部１１は、第２データと第３データとを共に取得しうる。制御部１１が第３データより先にデジタルデータ入力部１５から第２データを取得し、デジタル最新データを生成する場合、制御部１１は、図１０のフローチャートの手順でデータを処理する。
【００８５】
制御部１１は、第１データを記憶部１２に格納し、表示部１３に表示させる（ステップＳ１）。第１データは、テキストデータであり、所定の記録媒体に記録された文字に基づくデータである。
【００８６】
制御部１１は、デジタルデータ入力部１５から第２データを取得し、第１データと第２データとをあわせたデジタル最新データを生成する（ステップＳ２）。
【００８７】
制御部１１は、デジタル最新データを表示部１３に表示させる。制御部１１は、第２データを、印刷機器２０、又は、印刷機器２０と通信可能に接続されるサーバ３０に向けて、通信部１４に送信させる（ステップＳ３）。
【００８８】
制御部１１は、手書きデータ入力部１６から第３データを取得する。制御部１１は、第１データと第３データとの差分データを生成し、第１データと差分データとをあわせた手書き最新データを生成する（ステップＳ４）。
【００８９】
制御部１１は、第２データに関連付けられた情報と第３データに関連付けられた情報との間で少なくとも一部が一致するか判定する（ステップＳ５）。一致の判定の対象となる情報は、所定の情報であってよい。第２データ及び第３データはそれぞれ、複数の単位データを有するものとする。各単位データは、所定の情報に関連付けられるものとする。制御部１１は、第２データと第３データとの間で少なくとも１つの単位データが一致する場合、第２データに関連付けられた情報と第３データに関連付けられた情報とが一部で一致すると判定するものとする。第２データと第３データとの間で一致した単位データは、一致データともいう。第２データに関連付けられた情報と第３データに関連付けられた情報との間の一致は、印刷機器２０の印刷制御部２１で判定されてもよい。
【００９０】
制御部１１は、第２データに関連付けられた情報と第３データに関連付けられた情報との間で少なくとも一部が一致する場合（ステップＳ５：ＹＥＳ）、一致する部分について第２データ及び第３データの少なくとも一方をユーザに選択させる画面を表示部１３に表示させる（ステップＳ６）。ユーザに選択させる画面は、選択画面ともいう。言い換えれば、制御部１１は、第２データに含まれる一致データと、第３データに含まれる一致データとの少なくとも一方を、選択画面に従ってユーザに選択させる。一致データが複数ある場合、制御部１１は、選択画面において、一致データそれぞれをユーザに選択させてよいし、複数の一致データを一括してユーザに選択させてよい。第２データに関連付けられた情報と第３データに関連付けられた情報との間の一致が印刷制御部２１で判定される場合、選択画面は印刷機器２０で表示されてよい。印刷機器２０は、印刷表示部をさらに備え、選択画面を印刷表示部に表示させてもよい。印刷機器２０は、操作部をさらに備え、ユーザによる選択の入力を操作部で受け付けてもよい。
【００９１】
制御部１１は、ユーザの選択結果に基づいて、デジタル最新データに対して選択されたデータを追加するように、デジタル最新データを更新する（ステップＳ７）。制御部１１は、ユーザによって第２データに含まれる一致データ及び第３データに含まれる一致データのいずれか一方が選択された場合、選択された一致データをデジタル最新データに追加する。制御部１１は、ユーザによって第２データに含まれる一致データ及び第３データに含まれる一致データの両方が選択された場合、両方の一致データをデジタル最新データに追加する。
【００９２】
制御部１１は、ユーザの選択結果を印刷機器２０に送信してよい。印刷機器２０は、ユーザの選択結果に基づいて、第２データを記録媒体に記録する。例えば、第２データに含まれる一致データ及び第３データに含まれる一致データの両方が選択された場合、印刷機器２０は、両方の一致データが並ぶように、第２データを記録媒体に記録してよい。第２データに含まれる一致データが選択された場合、印刷機器２０は、対応する第３データを記録した文字を取り消すための取り消し線又は取り消し記号を記録した上で、第２データを記録媒体に記録してよい。第３データに含まれる一致データが選択された場合、印刷機器２０は、第２データを記録媒体に記録しなくてよい。
【００９３】
制御部１１は、第２データに関連付けられた情報と第３データに関連付けられた情報との間で、一致する部分がない場合（ステップＳ５：ＮＯ）、ステップＳ７に進み、デジタル最新データに対して第３データを追加するように、デジタル最新データを更新する。
【００９４】
制御部１１は、ステップＳ７の後、図１０のフローチャートの手順を終了する。
【００９５】
制御部１１が第２データより先に手書きデータ入力部１６から第３データを取得し、手書き最新データを生成する場合、制御部１１は、図１１のフローチャートの手順でデータを処理する。
【００９６】
制御部１１は、第１データを記憶部１２に格納し、表示部１３に表示させる（ステップＳ１０）。
【００９７】
制御部１１は、第３記録媒体から手書きデータ入力部１６によって第３データを取得する。制御部１１は、第１データと第３データとの差分データを生成し、第１データと差分データとをあわせた手書き最新データを生成する（ステップＳ１１）。
【００９８】
制御部１１は、手書き最新データを表示部１３に表示させる（ステップＳ１２）。
【００９９】
制御部１１は、デジタルデータ入力部１５から第２データを取得する（ステップＳ１３）。
【０１００】
制御部１１は、第２データに関連付けられた情報と第３データに関連付けられた情報との間で、少なくとも一部が一致するか判定する（ステップＳ１４）。第２データに関連付けられた情報と第３データに関連付けられた情報との間の一致は、印刷機器２０の印刷制御部２１で判定されてもよい。
【０１０１】
制御部１１は、第２データに関連付けられた情報と第３データに関連付けられた情報との間で、少なくとも一部が一致する場合（ステップＳ１４：ＹＥＳ）、第３データに含まれる一致データの取り消しを指示するデータを生成する。取り消しを指示するデータは、取り消しデータともいう。制御部１１は、取り消しデータと第２データとを印刷機器２０に送信する（ステップＳ１５）。印刷機器２０は、取り消しデータと第２データとに基づいて、第３記録媒体に対して、取り消し線又は取り消し記号と、第２データに基づく内容とを記録する。第３記録媒体に記録された内容のうち、取り消しが指示される対象は、第３データの元となる、所定の記録媒体に記録された文字の表示であるともいえる。
【０１０２】
制御部１１は、手書き最新データに対して第２データを上書きするように、手書き最新データを更新する（ステップＳ１６）。
【０１０３】
制御部１１は、第２データに関連付けられた情報と第３データに関連付けられた情報との間で、一致する部分がない場合（ステップＳ１４：ＮＯ）、ステップＳ１６に進み、手書き最新データに対して第２データを追加するように、手書き最新データを更新する。
【０１０４】
制御部１１は、ステップＳ１６の後、図１１のフローチャートの手順を終了する。
【０１０５】
図１０又は図１１のフローチャートの手順に基づく制御方法によれば、第２データと第３データとが重複して入力された場合に、デジタル最新データ又は手書き最新データにおける整合性が容易に確保されうる。制御方法を実現するプログラムは、制御プログラムともいう。
【０１０６】
図１２に示されるように、複数の通信機器１０がネットワーク４０を介してサーバ３０と通信可能に接続されてよい。通信機器１０は、印刷機器２０及び外部通信機器１０Ａともネットワーク４０を介して通信可能に接続されてよい。
【０１０７】
サーバ３０は、各通信機器１０で実行されるアプリケーションで共有されうる第１データを格納してよい。各通信機器１０で実行されるアプリケーションがカレンダーアプリケーションである場合、サーバ３０は、第１データとして、各通信機器１０のユーザが共通に参照できるスケジュールを格納してよい。複数の通信機器１０で共有されるスケジュールは、共有スケジュールともいう。
【０１０８】
各通信機器１０は、デジタルデータ入力部１５（図１参照）によって第２データを取得しうる。例えば１つの通信機器１０が第２データを取得する場合、その第２データは、共有スケジュールの少なくとも一部を削除又は置換する内容を含むことがある。この場合、第２データは共有スケジュールに影響を及ぼしうる。通信機器１０は、共有スケジュールに影響を及ぼしうる第２データを、サーバ３０に送信しないように構成されてよい。通信機器１０は、第２データのうち、共有スケジュールに影響を及ぼさない部分をサーバ３０に送信し、共有スケジュールに影響を及ぼしうる部分をサーバ３０に送信しないように構成されてよい。言い換えれば、通信機器１０は、第２データに含まれる、他のユーザと共有されるデータをサーバ３０に送信しないように構成されてよい。ユーザ又は機器の間で共有されるデータは、共有データともいう。
【０１０９】
共有データがサーバ３０に送信されないことによって、データの内容に誤りがあった場合等に、他のユーザに対する影響が低減されうる。
【０１１０】
印刷機器２０又は外部通信機器１０Ａは、第３データをサーバ３０に送信してよい。印刷機器２０又は外部通信機器１０Ａは、第３データを各通信機器１０に送信してよいし、ユーザによって選択された通信機器１０に送信してよい。外部通信機器１０Ａは、第３データを印刷機器２０に直接送信してよい。
【０１１１】
このようにすることで、手書きで更新されたデータが容易に反映されうる。結果として、手書きによるデータの更新の頻度が向上されうる。
【０１１２】
本開示に係る実施形態について、諸図面及び実施例に基づき説明してきたが、当業者であれば本開示に基づき種々の変形又は修正を行うことが容易であることに注意されたい。従って、これらの変形又は修正は本開示の範囲に含まれることに留意されたい。例えば、各構成部又は各ステップなどに含まれる機能などは論理的に矛盾しないように再配置可能であり、複数の構成部又はステップなどを１つに組み合わせたり、或いは分割したりすることが可能である。本開示に係る実施形態について装置を中心に説明してきたが、本開示に係る実施形態は装置の各構成部が実行するステップを含む方法としても実現し得るものである。本開示に係る実施形態は装置が備えるプロセッサにより実行される方法、プログラム、又はプログラムを記録した記憶媒体としても実現し得るものである。本開示の範囲にはこれらも包含されるものと理解されたい。
【０１１３】
本開示において「第１」及び「第２」等の記載は、当該構成を区別するための識別子である。本開示における「第１」及び「第２」等の記載で区別された構成は、当該構成における番号を交換することができる。例えば、第１データは、第２データと識別子である「第１」と「第２」とを交換することができる。識別子の交換は同時に行われる。識別子の交換後も当該構成は区別される。識別子は削除してよい。識別子を削除した構成は、符号で区別される。本開示における「第１」及び「第２」等の識別子の記載のみに基づいて、当該構成の順序の解釈、小さい番号の識別子が存在することの根拠に利用してはならない。
【符号の説明】
【０１１４】
１  データ管理システム
１０  通信機器（第１通信機器）
１０Ａ  外部通信機器（第２通信機器）
１１、１１Ａ  制御部
１２、１２Ａ  記憶部
１３、１３Ａ  表示部
１４、１４Ａ  通信部
１５  デジタルデータ入力部
１６、１６Ａ  手書きデータ入力部
２０  印刷機器
２１  印刷制御部
２２  印刷記憶部
２３  印刷部
２４  印刷通信部
３０  サーバ
４０  ネットワーク
【図１】
2018205804.tif 000003
【図２】
2018205804.tif 000004
【図３】
2018205804.tif 000005
【図４】
2018205804.tif 000006
【図５】
2018205804.tif 000007
【図６】
2018205804.tif 000008
【図７】
2018205804.tif 000009
【図８】
2018205804.tif 000010
【図９】
2018205804.tif 000011
【図１０】
2018205804.tif 000012
【図１１】
2018205804.tif 000013
【図１２】
2018205804.tif 000014